(57)【要約】  集光体は、第１の面と、第２の面と、前記第１の面と第２の面の間に設けられた集光面とを備え、前記集光面は、前記第１の面における入射放射線を前記第２の面に集光させる第１の側面を備える。
2006523856.tif 000002
【特許請求の範囲】
【請求項１】
第１の面と、第２の面と、前記第１の面と第２の面の間に設けられた集光面とを備え、
前記集光面は、前記第１の面における入射放射線を前記第２の面に集光させる第１の側面を備え、
これによって、前記第２の面に到達する放射線において、所定の方向に平面偏光された放射線割合が、前記第１の面における割合よりも高くなるように、入射放射線を偏光に基づいて選択的に集光するように構成されている集光体。
【請求項２】
前記第１及び第２の面を通過する光学通路に沿って設けられた偏光フィルタを備える、請求項１に記載した集光体。
【請求項３】
前記偏光フィルタが、前記第２の面に隣接及び／又は近接している請求項２に記載した集光体。
【請求項４】
前記偏光フィルタは、前記第１の面に隣接しており、及び／又は、前記第１の面が、偏光フィルタを備える、請求項３に記載した集光体。
【請求項５】
第１の面と、第２の面と、前記第１の面と第２の面の間に設けられた集光面とを備え、
前記集光面は、前記第１の面における入射放射線を前記第２の面に集光させる第１の側面を備える集光体。
【請求項６】
前記第１の側面は、入射角が所定の受け入れ角以下である入射放射線のみを前記第２の面に集光するように設計されている、請求項１〜５のいずれかに記載した集光体。
【請求項７】
前記第１及び第２の面の間に設けられた第２の側面を備え、
第２の側面は、前記第１の側面よりも少ない入射放射線を集光させるような形状である、請求項１〜６のいずれかに記載した集光体。
【請求項８】
前記第２の側面の前記所定の受け入れ角は、前記第１の側面の受け入れ角よりも小さい、請求項６又は７に記載した集光体。
【請求項９】
前記第１の面は、大径及び小径を有し、前記大径は、前記小径よりも長い、請求項１〜８に記載したいずれかの集光体。
【請求項１０】
前記大径及び小径は実質的に垂直である、請求項９に記載した集光体。
【請求項１１】
前記大径は前記第１の側面によって区切られている、請求項９又は１０に記載した集光体。
【請求項１２】
前記小径は前記第２の側面によって区切られている、請求項９、１０、又は１１に記載した集光体。
【請求項１３】
前記第１の面は楕円形状である、請求項１〜１２のいずれかに記載した集光体。
【請求項１４】
前記第１の面は、少なくとも一平面において凸形状であり、好ましくは前記第１の側面においても凸形状である、請求項１〜１３のいずれかに記載した集光体。
【請求項１５】
前記集光面は凹曲部を有し、
前記第１の側面は前記凹曲部内にある、請求項１〜１４のいずれかに記載した集光体。
【請求項１６】
前記集光面は実質的にまっすぐあるいは平坦な部分を有し、
前記第２の側面は、前記実質的にまっすぐあるいは平坦な部分内にある、請求項７，８，９，１３のいずれかの請求項に記載した集光体。
【請求項１７】
前記第１の側面は、完全内部反射するように設計されている、請求項１〜１６のいずれかに記載した集光体。
【請求項１８】
前記第１の面及び／又は該集光体は回転非対称である、請求項１〜１７のいずれかに記載した集光体。
【請求項１９】
前記第１の面及び／又は該集光体は、中心平面を中心として対称である、請求項１〜１８のいずれかに記載した集光体。
【請求項２０】
前記偏光フィルタは、小軸方向、及び／又は前記第１の側面を含む平面に垂直な方向に偏光された放射線をフィルタする、請求項７〜１８のいずれかに記載した集光体。
【請求項２１】
該集光体の前記集光面に沿った断面図は、回転非対称である、請求項１〜２０のいずれかに記載した集光体。
【請求項２２】
前記集光面に沿った断面図が、楕円形状又は実質的に長方形であることを特徴とする、請求項１〜２１のいずれかに記載した集光体。
【請求項２３】
狭帯域フィルタを備える、請求項１〜２２のいずれかに記載した集光体。
【請求項２４】
光透過性材料からなる本体部を備え、
前記本体部は、前記第１の面、前記第２の面、前記集光面によって区切られていることを特徴とする、請求項１〜２３のいずれかに記載した集光体。
【請求項２５】
前記本体部の材料は着色され、光学フィルタとして機能する、請求項２４に記載した集光体。
【請求項２６】
前記第２の面上に反射防止コーティングされた、請求項１〜２５のいずれかに記載した集光体。
【請求項２７】
請求項１〜２６のいずれかに記載した集光体と、前記第２の面に隣接した光検出器を備え、
前記光検出器は、前記第２の面に到達した入射放射線を検出し、放射線を検出したことを示す信号を出力する、通信受信機。
【請求項２８】
請求項１〜２６のいずれかに記載した集光体と、前記第２の面に隣接し、前記第２の面から放射線を放射する放射源を備え、
それによって、前記第１の側面は、前記第２の面から放射された放射線を前記第１の面に拡散させ、放射線が前記第１の面から送信される、通信送信機。
【請求項２９】
前記第１の面を離れる放射された放射線中における所定の方向に平面偏光された放射線割合が、前記放射源により放射された放射線における割合よりも高くなるように、放射された放射線を偏光に基づいて選択的に送信するように構成されている、請求項２８に記載した送信機。
【請求項３０】
前記第１と第２の面の間に設けられた第２の側面とを備え、
前記第２の側面は、前記第１の側面よりも少ない放射された放射線を拡散させるような形状であることを特徴とする、請求項２８又は２９に記載した送信機。
【請求項３１】
請求項１〜２７に記載したいずれかの集光体又は受信機と、放射線放射源とを備え、
前記集光体／受信機は、前記放射源から放射された放射線を受信することを特徴とする、通信システム。
【請求項３２】
前記放射源から放射された放射線が偏光されている、請求項３１に記載した通信システム。
【請求項３３】
前記放射源から放射された放射線が、前記偏光フィルタによってフィルタされる方向と垂直な方向に偏光されており、及び／又は、前記大径の方向又は前記第１の側面を含む平面の方向に偏光されている、請求項３２に記載した通信システム。
【請求項３４】
前記放射源から放射された放射線が、前記大径又は前記集光体の前記第１の側面を含む平面と、
実質的に同一平面に存在する、請求項３２又は３３に記載した通信システム。
【請求項３５】
放射された放射線を除去するように向けられた偏光フィルタを有する第２通信受信機を備え、
それによって、第２集光体からの信号を、第１集光体からの信号から差し引くことにより、全てを含んだ信号から背景放射線を除去する、
請求項３３又は３４に記載した通信システム。
【請求項３６】
前記放射線放射源は、請求項２７〜２９に記載したいずれかの放射線送信機の一部を有する及び／又は形成することを特徴とする、請求項３０〜３５に記載したいずれかの通信システム。
【請求項３７】
前記放射された放射線は、赤外線領域にあることを特徴とする、請求項３０〜３６のいずれかに記載した通信システム。
【請求項３８】
光透過性本体を備え、
前記光透過性本体は、第１と第２の端部と、前記第１と第２の端部の間に設けられた反射面とを備え、
前記反射面は、前記本体内を通過する放射線を前記第１又は第２の端部へ完全内部反射させ、
前記第１と第２の端部の間に、前記本体内を通過する放射線を偏光させる光学偏光フィルタが設けられている、無線通信システム用光学トランシーバー装置。
【請求項３９】
前記第１の端部の表面面積は、前記第２の端部よりも大きく、
前記反射面は、前記本体内を前記第２の端部から前記第１の端部へと通過する放射線が集光され、第１の端部から前記第２の端部へと通過する放射線が拡散される形状である、請求項３８に記載した光学トランシーバー装置。
【請求項４０】
前記第１の端部は大径及び小径を有し、
前記大径は前記小径よりも長く、
前記大径に沿った視野角が前記小径に沿った視野角よりも大きい、請求項３８又は３９に記載した光学トランシーバー装置。
【発明の詳細な説明】
【技術分野】
【０００１】
本発明は、集光体と、集光体を使用した無線通信システムに関する。
【背景技術】
【０００２】
近年、屋内及び屋外用途の光学無線通信システムを向上させるための研究が行なわれている。これは、光学的周波数帯域は、近距離通信の媒体として、無線と比べた場合に、重大な利点があるからである。特に、赤外線通信は、低コストで高帯域幅を実現でき、無線による干渉を受けず、自由に使用することができる周波数帯域を使用している。更に、赤外線構成要素は安価であり、小型で、消費電力も少ない。概して、屋内の光学無線通信システムは、人工光または日光のため、「雑音」環境下で作動している。多くの用途では、許容できる伝送ロスの範囲はわずかであり、その結果、送信機に高電力出力が必要となる。しかし、安全への考慮と消費電力の観点から、送信機の電力出力は限られる。本明細書で使用される「光学」には、可視光に加えて、赤外光及び紫外光も含むものとする。
【０００３】
この赤外光を集光させる際、集光率を向上させるため、また、過度に長い受信機を使わずに広い集光域を提供するため、誘電性の完全内部反射型集光体を使用することが知られている。また、ＷＯ０２／２１７３４には、これらの集光体とともにフィルタを使用して、波長による識別を行ない、背景放射線の集光、検出を低減することが知られている。しかし、これらの受信機は、送信された赤外光と周波数が類似した背景放射線を識別排除することはできない。また、これらの集光体は回転対称であるため、入射面に基づいた識別を行なうことができない。
【発明の開示】
【発明が解決しようとする課題】
【０００４】
本発明は、これらの設計を改良することを目的とし、特に、偏光及び／又は入射面に基づいて背景放射線を更に識別排除することができる集光体及び／又は通信システムを提供することを目的とし、及び／又は、放射線を偏光させることができ、及び／又は、面が異なることによって異なる量の放射線を送信することのできる送信機を提供することを目的とする。
【課題を解決するための手段】
【０００５】
本発明の第１の態様にかかる集光体は、第１の面と、第２の面と、前記第１の面と第２の面の間に設けられた集光面とを有する集光体であって、前記集光面は、前記第１の面における入射放射線を前記第２の面に集光させる第１の側面を有する。
【０００６】
好ましくは、前記集光体は、前記第２の面に到達する放射線において、所定の方向に平面偏光された放射線割合が、前記第１の面における割合よりも高くなるように、入射放射線を偏光に基づいて選択的に集光するように構成されている。
【０００７】
好ましくは、前記集光体は、前記第１及び第２の面を通過する光学通路に、好ましくは、沿って設けられた偏光フィルタを有している。更に好ましくは、前記偏光フィルタは、前記第２の面に隣接及び／又は近接しており、及び／又は、前記偏光フィルタは、前記第１の面に隣接しており、及び／又は、前記第１の面が、偏光フィルタを有している。
【０００８】
好ましくは、前記第１の側面は、入射角が所定の受け入れ角以下である入射放射線のみを前記第２の面に集光するように設計されている。
【０００９】
好ましくは、前記集光体は、前記第１及び第２の面の間に設けられ、前記第１の側面よりも少ない入射放射線を集光させるような形状の第２の側面を有する。更に好ましくは、前記第２の側面の前記所定の受け入れ角は、前記第１の側面の受け入れ角よりも小さい。
【００１０】
好ましくは、前記第１の面は、大径及び小径を有し、前記大径は、前記小径よりも長いことを特徴とする。更に好ましくは、前記大径及び小径は実質的に垂直であり、及び／又は、前記大径は前記第１の側面によって区切られており、前記小径は前記第２の側面によって区切られている。
【００１１】
好ましくは、前記第１の面は楕円形状であり、及び／又は、少なくとも一平面において凸形状であり、好ましくは前記第１の側面において凸形状である。
【００１２】
好ましくは、前記集光面は凹曲部分を有し、前記第１の側面は前記凹曲部分内にあり、及び／又は、前記集光面は実質的にまっすぐあるいは平坦な部分を有し、好ましくは前記第２の側面は、前記実質的にまっすぐあるいは平坦な部分内にある。
【００１３】
好ましくは、前記第１の側面は、好ましくは完全内部反射するように設計されている。
【００１４】
好ましくは、前記第１の面及び／又は前記集光体は回転非対称であり、及び／又は、中心平面に対して対称である。
【００１５】
好ましくは、前記偏光フィルタは、小軸方向、及び／又は前記第１の側面を含む平面に垂直な方向に偏光された放射線をフィルタする。
【００１６】
好ましくは、前記集光体の前記集光面に沿った断面図は、回転非対称であり、更に好ましくは、楕円形状又は実質的に長方形である。
【００１７】
好ましくは、前記集光体は、狭帯域フィルタを有する。
【００１８】
好ましくは、前記集光体は、光透過性材料からなる本体部を有し、前記本体部は、前記第１の面、第２の面、集光面によって区切られている。更に好ましくは、前記本体部は着色され、光学フィルタとして機能する。
【００１９】
好ましくは、前記第２の面は反射防止コーティングを有する。
【００２０】
好ましくは、本発明にかかる通信受信機は、本発明にかかる集光体と、前記第２の面に隣接した光検出器を有する通信受信機であって、前記光検出器は、前記第２の面に到達した入射放射線を検出し、放射線を検出したことを示す信号を出力する。
【００２１】
好ましくは、本発明にかかる通信送信機は、本発明にかかる集光体と、前記第２の面に隣接し、前記第２の面から放射線を放射する放射源を有し、前記第１の側面は、前記第２の面から放射された放射線を前記第１の面に拡散させ、放射線は、前記第１の面から送信される。更に好ましくは、前記送信機は、前記第１の面を離れる放射された放射線において、所定の方向に平面偏光された放射線割合が、前記放射源により放射された放射線における割合よりも高くなるように、放射された放射線を偏光に基づいて選択的に送信するように構成されている。更に好ましくは、前記送信機は、前記第１と第２の面の間に設けられた第２の側面を有し、前記第２の側面は、前記第１の側面よりも少ない放射された放射線を拡散させるような形状である。
【００２２】
好ましくは、本発明にかかる通信システムは、本発明にかかる集光体又は受信機と、放射線放射源を有する通信システムであって、前記集光体及び／又は受信機は、前記放射源から放射された放射線を受信する。更に好ましくは、前記放射源から放射された放射線は偏光されており、更に好ましくは、前記放射源から放射された放射線は、前記偏光フィルタによってフィルタされる方向と垂直な方向に偏光されており、及び／又は、前記大径の方向又は前記第１の側面を含む平面の方向に偏光されており、及び／又は、放射された放射線は、前記大径又は前記集光体の前記第１の側面を含む平面と実質的に同一平面である。
【００２３】
好ましくは、前記通信システムは、第２通信受信機を有し、前記第２通信受信機は、第２受信機の偏光フィルタが、放射された放射線を除去するように方向付けられており、第２集光体からの信号を、第１集光体からの信号から差し引くことにより、全てを含んだ信号から背景放射線を除去する。
【００２４】
好ましくは、前記放射線放射源は、本発明にかかる放射線送信機の一部を有し、及び／又は形成する。
【００２５】
好ましくは、前記放射された放射線は、赤外線領域にある。
【００２６】
本発明の第２の態様にかかる無線通信システム用光学トランシーバーは、光透過性本体を有し、前記光透過性本体は、第１と第２の端部と、前記第１と第２の端部の間に設けられた反射面を有し、前記反射面は、前記本体内を通過する放射線を前記第１又は第２の端部に（完全内部）反射させ、前記第１と第２の端部の間に、前記本体内を通過する放射線を偏光させる光学偏光フィルタが設けられている。好ましくは、前記第１の端部の表面面積は、前記第２の端部よりも大きく、前記反射面は、前記本体内を前記第２の端部から前記第１の端部へと通過する放射線が集光され、前記第１の端部から前記第２の端部へと通過する放射線が拡散される形状であり、及び／又は、前記第１の端部は大径／寸法及び小径を有し、前記大径は前記小径よりも長く、前記大径に沿った視野角が前記小径に沿った視野角よりも大きい。
【発明を実施するための最良の形態】
【００２７】
以下、図面を参照しながら、本発明の実施の形態を例示する。
【００２８】
図１に示すように、集光体１０は、好ましくは、赤外光に対して透過性を示す誘電性材料１２より主になる、誘電性の完全内部反射型集光体（DITRC-dielectric totally internally reflecting concentrator）である。誘電体１２は、高屈折率を有し、例えば、パースペックス又はクラウンガラスであってもよい。詳細に説明する実施の形態では、低コストで高帯域幅を提供できるという理由から、赤外放射線が使用されている。しかし、他の実施の形態では、可視光、紫外等、他の電磁放射線を使用してもよい。
【００２９】
集光体１０は、凸状にカーブした第１の面１４と、凹状にカーブした側面１６と、実質的に平面状の第２の面１８を有する。本実施の形態では、集光体１０は、側面１６が回転対称である従来型の形状をしており、集光体１０と第２の面１８の断面が、図１の描かれた頁の平面に対して垂直な円形である。
【００３０】
第２の面１８と第１の面１４の間には、偏光フィルタ２２が設けられている。偏光フィルタ２２は、偏光フィルタの屈折率を当該フィルタの両側の屈折率に整合させるための屈折率整合膜２４、２６に挟まれて設けられている。一方の整合層２６は、検出面１８に隣接している。
【００３１】
集光体１０は、平面偏光された赤外放射線を放射する特定赤外源からの放射線を受信するために使用することができる。偏光フィルタは、赤外源に垂直に偏光している光を除去し、特定赤外源からの放射線の検出を制限することなく、背景放射線の検出量を低減するものが選択される。
【００３２】
図２aに示す赤外検出器などの光検出器２０は、第２の面１８に隣接して設けてもよい。これにより、光検出器２０が第２の面１８として機能することができる。集光体１０と光検出器２０が一体となって、情報を有する赤外放射線を赤外源から受信、検出することのできる通信受信機を形成する。
【００３３】
図２aに、入射光線が集光体１０から光検出器２０へ屈折する様子を示す。２つの直行平行光線R１、R２は、第１の面１４を通過し、光線R１'、R２'として、お互いに向かって屈折する。光線R１'、R２'は、実際に偏光フィルタ２２周辺で交差し、ほぼ同一の点Aにおいて第２の面１８に到達する。点Aに到達したこの放射線は、次に光検出器２０によって検出され、代表信号が作成される。光線R１、R２が、受信に適した方向に対して完全に直行する方向に平面偏光されていた場合、この放射線はフィルタ２２によって除去され、点Aに到達することはない。
【００３４】
２つの平行光線R３、R４は、第１の面１４に受け入れ角αで入射する。光線R３、R４は、第１の面１４を通過する際、光線R３'、R４'として、互いに近づくように屈折する。光線R３'、R４'は、完全内部反射型の側面１６に、それぞれ点B、Cにおいて到達し、光線R３''、R４''として反射され、第２の面１８上の点D、Eに到達する。点Eは、第２の面１８の最端部である。必然的に、受け入れ角αより大きい角度で入射した光線はすべて、第２の面１８に到達することはできず、側面１６から出て行くため、検出されることはない。
【００３５】
あるいは、放射線放射源２１（この場合、赤外光放射ダイオード）を第２の面１８に隣接して設けてもよい。集光体１０と放射源２１が一体となって、情報を有する赤外放射線を送信できる通信送信機を形成する。送信された放射線は、偏光フィルタ２２によって平面偏光されるため、本発明にかかる通信受信機に対応する特定放射線源のような通信送信機を使用することができる。
【００３６】
図２bに、集光体１０が通信送信機として使用される場合の、送信された光線が放射源２１から集光体１０内で屈折される様子を示す。このように使用すると、集光体１０は光を集光するのではなく、制御された方法で光を拡散させる。
【００３７】
第１の送信された光線T１は、放射源２１から第２の面１８を通り、完全内部反射型の側面１６に、点Fにおいて到達する。次に、光線T１'として反射され、第１の面１４上の点Gに到達する。第１の面１４において、光線T１'は、光線T１''として屈折し、集光体１０外へ進む。
【００３８】
送信された光線T２は、側面１６に衝突せず、第１の面１４を直接通過するような角度で放射され、第１の面１４において、光線T２'として屈折する。
【００３９】
光線T３は、点Hにおいて第１の面１４を直接通過する。光線T３は点Hにおいて第１の面１４に垂直であるため、屈折せず、そのかわり、放射源２１を出たのと同じ角度で集光体１０外へ送信され続ける。
【００４０】
集光体１０の３D形状は、２Dケースの最適な形状をみつけ、その２D形状を対称軸を中心にして回転させることによって設計される。
【００４１】
第１の面１４は、球体又は放物体、双曲体等の円錐曲線体の一部であり、側面１６の傾斜は完全内部反射の条件に基づいて決定される。また、平面状の干渉フィルタを使用する場合に、第２の面への光の入射角が一定の値を超えないようにするなどの、他の補足的な条件の設計を考慮に入れることも可能である。
【００４２】
集光体１０は、反射された光線が入射の最大値を超えないようにするなどの方法で設計することができる。この場合、この設計は位相保存法に基づいている。これによって、出ていこうとしている極度の光線は、側面１６により反射された後、新たな波面を形成する、したがって、反射光は、所定の最大角α以内のみ存在することとなる。
【００４３】
あるいは、この設計は所定の最大角αを有する必要はなく、この制約のない最大集光法に基づいてもよい。
【００４４】
側面の座標は、公開特許出願ＷＯ０２／２１７２３４に記載されているように、放射線入射の集光をα以下の角度に最適化することによって、あるいは、放射線の集光を、例えば「Xiachui  Ning、Roland  Winston、Joseph  O'Gallagher  著『誘電性完全内部反射集光体』（Applied  Optics  Vol  ２６  No.２  January  １５、１９８７）。」に記載されているような、最大集光法を使用し、角αとは関係なく最適化することによって、分析的に計算することができる。
【００４５】
実施の形態によっては、小さなサイズで最大限の集光を実現するために、誘電体１２は屈折率をできる限り高いものを選択してもよい。高屈折率は、高い幾何学的集光を更に生じさせる。
【００４６】
図３に、第２の実施の形態である集光体１１０を示す。集光体１１０の部材で集光体１０の部材と実質的に同様のものは、対応する集光体１０の部材の参照番号に１００を加えた参照番号で示されている。
【００４７】
集光体１１０は、平面状の偏光フィルタ２２にかえて、第１の面１４上に偏光フィルタ１２３を有している。集光体１１０には、唯一の整合層である整合層１２６が設けられている。整合層１２６は、誘電材料１１２と光検出器２０の屈折率を整合させる。なお、偏光フィルタを、集光体の正面に、集光体から離して設けることができる。したがって、集光体の第１の面に接触していない平面状の偏光フィルタを設けることができる。
【００４８】
集光体１０又は１１０は、更に狭帯域フィルタを有してもよい（光検出器２０の近傍又は第１の面１４上）。この場合、形状は位相保存法を使用して設計するのが好ましく、また、フィルタは多くの場合入射角に強く依存するため、受け入れ角αはフィルタ用に適したものが選択される。このような光学フィルタを使用することで、所望の供給源からの放射線の波長と著しく異なる波長の放射線を除去することができ、背景放射線を更に識別排除することができる。
【００４９】
このような波長による識別は、誘電体１２又は１１２に着色された光学材料を使用することでも行なうことができる。誘電体１２又は１１２は、可視光の透過を低減するために着色することができる。また、光検出器２０は、より長い波長の赤外放射線に影響されないという望ましい特性を有しているという点から、シリコンを有してもよい。このような構成の全体としての反応を図４に示す。図４において、シリコン光検出器２０の反応特性４０が、着色された誘電体１２の反応４２と重ね合わせて示されている。実際、着色された誘電体１２又は１１２は、赤外長波長フィルタとして機能する。
【００５０】
光検出器は、１０００ nm よりも短い波長のみに反応し、長波長フィルタは約６００ nm よりも長い波長を通過させ、図４の陰影領域４２に示すように、４００ nmの最大光学帯域幅となることが分かる。エリア４１は、光検出器とフィルタの反応が正確にオーバーラップしない部分を表す。
【００５１】
誘電体１２又は１１２は、着色されたプラスチック又はガラス、又はGaAs基板で作製することができる。このような着色された誘電体の透過特性は、光の入射角とは実質的に関係がないため、集光体の形状を設計する際、光の入射角を考慮する必要はなく、最大集光法を使用することができる。
【００５２】
図５a、５b、８に、第３の実施の形態である集光体２１０を示す。集光体２１０のトップダウン図は、図１に示す集光体１０の断面と実質的に同様である。第１の面２１４は凸状であり、側面２１６は凹状にカーブしており、その形状は、側面１６と同様に、所定の角度範囲内の放射線を最大限集光できるように設計されている。これにより、横平面x、yの光入射は、集光体１０の光入射と同一の方法で集光される。
【００５３】
集光体２１０の断面は、回転対称であるかわりに、縦ｚ方向に実質的に一定である。集光体２１０は、実質的に平面状の上面及び下面２５０を有し、また、図５ｂに最もよく示すように、第１の面２１４も縦ｚ方向に実質的にフラットである。したがって、縦平面x、z の光入射は、図５ｂに示す実質的に長方形の形状によって受信される。このような長方形は、縦平面x、z の光入射を集光しない。一つには、放射線を受信する受信端２５２は検出端２５４よりも著しく大きくはないため、狭い視界においてのみ放射線が集光される。二つ目には、上面及び下面の形状は、ごく狭い範囲の角度の放射線のみを内部反射させるため、放射線が第２の側面２１８に到達するまでに複数回反射されなければならない。
【００５４】
集光体２１０は、その形状のために、縦平面x、z からよりも横平面x、y から、はるかに多くの光入射を集光、検出する。これは、所望の供給源からの入射赤外放射線や対応する光学アラインメントが横平面x、yであるような状況で使用した場合に有利となる。この集光体はまた、縦平面x、z を９０度回転させたものを選ぶという選択化を行なうために使用することができる。
【００５５】
この非対称の設計と放射線の受信は、集光体１０及び１１０において説明したタイプの偏光フィルタ２２又は１２３の使用により補完される。背景放射線は、多くの場合、誘電表面からの反射の影響によって入射面に垂直な方向に偏光又は一部偏光される。したがって、非対称集光体２１０によって集光された背景放射線のほとんどは横平面であるため、その多くは縦平面に偏光される。縦偏光された放射線を除去する偏光フィルタを使用することによって、第２の面２１８に到達する背景放射線をかなりの割合で防止することができる。検出が望まれる情報は横平面で送信することができるが、この情報が偏光フィルタによる影響を受けず、広範囲の領域で集光されるように、横偏光することが好ましい。
【００５６】
図６a及び６bに、本発明の第４の実施の形態である、同じく非対称の集光体３１０を示す。トップダウン形状は、集光体２１０と実質的に同一であり、同じく図８に示している。側面３１６は側面２１６と実質的に同一であるが、第１の面３１４は、側面３１６の部分よりも中心３５６の部分において高くなっている。図６bに示す、x、z 平面で中心を通る断面は、集光体２１０との著しい相違点を示している。第１の面３１４は、縦z方向に凸状であり、受信端は受信端３５４よりも著しく高くなっている（但し、図８に示す横幅Wよりはかなり小さい）。これにより、横y方向よりはかなり小さいが、縦z方向における領域の範囲が広くなる。
【００５７】
中心３５６における上面及び下面３５０は、凹状にカーブしているため、面２５０よりも広範囲の角度の放射線を内部反射させることができる。しかし、WO０２／２１７３４に記載の工程では最適化させることができないため、側面３１６ほど多くの放射線を第２の面３１８に反射させることはできない。
【００５８】
集光体３１０は集光体２１０よりも広範囲の領域を有しながらも、縦y、z 平面からよりも、横 x、y 平面からの放射線を多く集光する。本実施の形態は、集光体２１０と同様に使用することができ、同様に偏光フィルタの使用が適している。集光体３１０は特に、所望の供給源からの情報の入射面が正確に横平面となることを必ずしも保証できないような状況で有効である。また、集光体３１０においては、求められる光学アラインメントの正確さがより緩和される。
【００５９】
図７a、７b、７cに、第５の実施の形態である集光体４１０を示す。集光体４１０は、ｚ、y平面における楕円形状の断面と、楕円形状の第１の面４１４を有している。この楕円の最大径４６０は横方向に存在し、最小径４６２は縦方向に存在する。この集光体のトップダウン図も図８に示されている。最大径４６０における側面４１６aの形状は側面２１６及び３１６と実質的に同じである。
【００６０】
図7bに示された、最小径４６２を通る、集光体４１０のｘ、ｚ平面垂直断面は、図６bに示す集光体３１０の対応する断面と実質的に同様である。側面４１６bの形状の設計は、最小径４６２部分ではほとんど最適化されておらず、縦平面から第２の面４１８に反射される放射線が最も少ない。側面４１６は、径の変化にしたがって、横平面から縦平面へ徐々に変化しており、これにしたがって、第２の面４１８に反射されて到達する放射線の量が両端面で確実に増加する。
【００６１】
図９に、本発明にかかる第６の実施の形態である、同じく非対称の集光体５１０を示す。集光体５１０は、集光体２１０と同様である。第１の面５１４は、凸状であるが、側面５１６、５１７は、実質的に水平で、お互いに向かって傾斜している。これによって、集光体５１０は、第１の面５１４と第２の面５１６の間で徐々に縮小している。
【００６２】
集光体５１０の断面は、ｚ方向に向かって、実質的に一定である。上面及び下面５５０は、集光体２１０と同様に実質的に平面であり、第２の面５１８と第１の面５１４のｚ方向における長さがｙ方向における幅よりもかなり大きいため、５５０間の相対距離はより大きい。したがって、集光体５１０は、集光体２１０よりもｚ、ｙ平面における視野角が大きいが、この平面で第２の面５１６に集光された光は、広い領域に分散されるため、強度が小さい。
【００６３】
実施の形態１１０、２１０、３１０、４１０、５１０は、集光のために使用することができ、また、図２aに示すように、光検出器と通信受信機とともに使用してもよい。又は、これら実施の形態はすべて、図２bに示す通信送信機としての放射源２１とともに使用することができる。上記説明は、ほぼ、異なる平面における集光についてであったが、これは光を放射する場合の拡散にも同様に応用できる。非対称の集光体２１０、３１０、４１０、５１０は、例えば、縦平面より送信されるよりも多くの光を横平面より送信し、又は、光の分散される領域が横平面よりも縦平面において広くなるようにするなど、拡散を制御するために使用することができる。
【００６４】
集光体１０、１１０、２１０、３０１、４１０、又は５１０を有する通信受信機と通信送信機をともに使用して、通信システムを形成することができる。セットアップの際、受信機は、送信機から放射された偏光が、受信機の偏光フィルタ２２によって妨害されないように方向付けすることができる。
【００６５】
このようなシステムを集光体３１０のような集光体とともに使用した場合、送信機は、光が特定の平面においてより広い角で送信されるように方向付けし、受信機は、当該特定の平面において送信された光を受信するような選択化をするように方向付けすることができる。
【００６６】
このような、偏光送信機と偏光受信機との組み合わせにより、背景照明の防止をかなり高い割合で実現することができる。これは以下の理由による。第一に、情報を伴って放射、及び検出された放射線は、同一平面にある。第二に、両垂直平面において、当然、同一量の背景照明（屋内、屋外照明などの人工のもの）が分布するからである。
【００６７】
図１０には、二つの集光体２１０が示されており、一つは横に配置され、もう一つは縦に配置されている。両方とも、集光体２１０の方向付けに垂直な方向に偏光された放射線をフィルタする偏光集光体を有している。
【００６８】
集光体２１０を通って光学的に送信される信号の送信源５００は、特定の情報を横偏光において送信しかつ特定の情報を縦偏光において送信してもよい。この場合、上記２つの集光体２１０からの信号は、相関があってもよい。この方法は、背景照明信号の一般的方法による排除としては、有意な効果が見られる。
【００６９】
送信源はまた、情報信号δを横又は縦偏光で、好ましくは集光体２１０からのみ送信して、信号δのほとんどを一つの平面とすることができる。
【００７０】
上記の２つの集光体２１０が受信に使用される場合、一つの集光体は送信された情報信号δを、若干の背景放射線とともに受信し、もう一方の集光体は、背景放射線のみを受信し、送信された情報信号δは、偏光フィルタ２２２によって除去される。
【００７１】
背景照明のどのような調整（主に周波数に関連した強度調整）も、いずれの平面においても、ほぼ等しい。これは、受信した信号の一方から他方を減算すると、情報信号となることを意味している。
【００７２】
すなわち、（[A＋δ]−A）=δとなる。式中、情報信号をδ、上記２つのチャネルからの背景信号分をAとする。
【図面の簡単な説明】
【００７３】
【図１】本発明にかかる集光体のトップダウン断面図である。
【図２】aは、図１における集光体を有する受信機のトップダウン断面図に、放射      線を例示したものである。bは、図１における集光体を有する受信機のトップダウン断面図に、放射された放射線を例示したものである。
【図３】本発明にかかる受信機の第２の態様のトップダウン断面図に、放射線を例      示したものである。
【図４】着色された誘電性材料の透過曲線を、シリコン系光検出器の典型的反応性      に重ね合わせたグラフである。
【図５】aは、本発明の第３の実施の形態にかかる集光体の正面斜視図である。b      は、aにおける集光体の側面図である。
【図６】a及びbは、それぞれ、本発明の第４の実施の形態にかかる集光体の正面      斜視図及び側面図である。
【図７】a及びbは、それぞれ、本発明の第５の実施の形態にかかる集光体の正面      斜視図及び側面図である。cは、a及びcにおける集光体の後方斜視図である。
【図８】図５、６、７における集光体の上面図である。
【図９】本発明の第６の実施の形態にかかる集光体の斜視図である。
【図１０】図５における集光体を２つ有する、本発明にかかる通信システムの模式図      である。
【図１】
2006523856.tif 000003
【図２】
2006523856.tif 000004
【図３】
2006523856.tif 000005
【図４】
2006523856.tif 000006
2006523856.tif 000007
2006523856.tif 000008
2006523856.tif 000009
【図８】
2006523856.tif 000010
【図９】
2006523856.tif 000011
【図１０】
2006523856.tif 000012
【国際調査報告】
2006523856.tif 000013
2006523856.tif 000014
2006523856.tif 000015